(57)【要約】      （修正有）【課題】従来の模型飛行機に関しては紙飛行機のように屋内では飛ぶ時間が短いものであり屋外ではゴム動力の模型飛行機のように不都合な所へ落ちる可能性があるものであり、糸で揚げる凧に関しては強風の際には力を要するものであった。紐に繋いで屋内では連続して飛行させることが出来、屋外では強風でも頭上に軽く揚がる模型飛行機行機を提供する。【解決手段】模型飛行機１の先端２とここから適当な間隔を設けた後方の位置４の下端とに跨ってたるみを持たせて紐７、８の両端を固着し、この紐を通した滑動自在な輪９を設け、この輪に凧糸１０を繋いだ模型飛行機を手段とした。【選択図】図１
2018175460.tif 000002
【特許請求の範囲】
【請求項１】
凧のように糸で揚げる模型飛行機に於いて模型飛行機の先端とここから適当な間隔を設けた後方の位置の双方とに跨ってたるみを持たせて紐の両端を固着し、この紐を通した滑動自在な輪を設け、この輪に凧糸の一端を繋いだ自動移動糸目を有する模型飛行機。
【請求項２】
前記紐は先端からそれよりも後方の幅方向一方側にたるみを持たせて接続された一方の紐と先端からそれよりも後方の幅方向他方側にたるみを持たせて接続された他方の紐を有している請求項１記載の模型飛行機
【請求項３】
前記凧糸の他端を棒状のものや竿に繋いだ請求項１又は２、記載の自動移動糸目を有する模型飛行機。
【請求項４】
平板状の翼を有し、下面側を平面とし、上面側の中心に沿って先端から後端にかけて立ち上がる平板状の部材を有した請求項１、２又は３記載の自動移動糸目を有する模型飛行機。
【発明の詳細な説明】
【技術分野】
【０００１】
本発明は自動で移動する糸目を有する模型飛行機に関する。
【背景技術】
【０００２】
従来の模型飛行機及び凧に関しては紙を折り畳んで作り、手で飛ばす折り紙の飛行機があり、ゴム紐を捩って動力源とし、プロペラを回して飛ぶ模型飛行機があり、凧糸に繋いで揚げる凧があった。
【０００３】
折り紙の模型飛行機に関しては屋内で飛ばすには飛行時間が少ないものであった。またゴム紐を動力源とする模型飛行機に関しては屋外の不都合な所に落ちたり引っかかる恐れがあるものであった。さらに糸に繋いで揚げる一般の凧に関しては強風の際は揚げるのに大きな力を必要とするものであった。
【先行技術文献】
【特許文献】
【０００４】
特願２００５−２４２３８８
【発明の概要】
【発明が解決しようとする課題】
【０００５】
以上に述べた従来の折り紙の飛行機やゴム紐を動力源とする模型飛行機や従来の凧に関しては次のような課題があった。柔らかな骨格の特許第５９５０４３７号の幟凧を釣り竿や特許申請中の指圧棒の先に取り付けて振って遊んだり体操をする際にこれと付け替えながら動きに変化を持たせられる模型飛行機を課題とした。またこれを風船状のポールの先に付けて車椅子の上から振って楽しめる模型飛行機を課題とした。また災害時の避難所などで釣り竿に前記幟凧と交互に付け替えて子供達を遊ばせる模型飛行機を課題とした。さらに野外で耳に風音が聞こえるくらいの強風の際も先端から後端までが立てて腰丈くらいの大型のものでも軽く例えば車椅子の上から釣りの仕掛けに繋いで揚げられる模型飛行機を課題とした。また強風の時ほど頭上に近い上空に揚がって安定する模型飛行機を課題とした。また底面に様々の生物の絵やキャラクターの画面を設けてこれを近くで眺められる模型飛行機を課題とした。
【課題を解決するための手段】
【０００６】
そして本発明は上記課題を達成するために模型飛行機の先端の部分とここから適当な間隔を設けた翼の左右対称の一方の部分とに跨ってたるみを持たせて紐の端を固着し、また模型飛行機の下側とここから適当な間隔を設けた翼の左右の他方の部分であって前記一方の部分と左右対称な部分の一方の部分とに跨ってたるみを持たせて紐の端を固着し、この紐を通した滑動自在な輪を設け、この輪に別の紐の一端を繋ぎ、別の紐の他端側を人が持って揚げることが出来る自動移動糸目を有する模型飛行機としたものである。模型飛行機の下端と翼の左右の一方の部分を繋ぐ紐と、模型飛行機の下端と翼の左右の他方の部分を繋ぐ紐とは別のものであっても良く、或いは下端側の部分が共通のものであっても良い。また前記別の紐の他端を棒状のものに繋いだ自動移動糸目を有する模型飛行機としたものである。また凧糸に繋いで屋外で揚げる模型飛行機に関しては翼の下面側を平板状にして翼の上面側の先端から後端にかけて中心線部分に立ち上がる平板状の縦部材を設け、この模型飛行機の先端から後方の翼の両端に向かってたるみを持たせて前記の紐を取り付けた構造の模型飛行機としたものであり、この構造を発泡板材の組み合わせか一体成型のもので造っても良く、またヒゴや針金の骨格と紙などのシート状材料を組み合わせたもので造っても良い。また翼の上面側の先端に棒材を粘着テープなどでしっかりと付けて棒材の上端部分に太陽光を反射するビニールテープなどを付けた模型飛行機としたものである。
【発明の効果】
【０００７】
上記の課題解決手段による作用は次の通りである。紙飛行機形の模型飛行機例えば大きさＡ３サイズのコピー用紙を折って作る紙飛行機について底辺のほぼ中央部と翼の先端部の左右に紐の端を固着し、この紐を滑動自在な輪例えばゼムクリップに通し、滑動自在な輪に長さ約１メートル程度の紐の一端を繋ぎ、他端を例えば全長１メートル程の円柱状の風船ポールの先に繋いだものに関してはこの風船ポールの下端を握って紙飛行機を頭上高く飛行させ、車椅子の上からでも紙飛行機を連続して飛行させることができる。なお紙飛行機をぶつけて目を傷めることがないように滑動自在な輪例えばゼムクリップの個所にリボンを付けると目立ちやすく安全である。また災害の時はＳＯS連絡の旗竿に使い普段は血栓の発生予防の働きをする特許出願中の指圧棒に前記紙飛行機と特許第５９５０３４７号の幟凧を交互に付け替えてＳＯＳの防災訓練を兼ねた普段の体操に変化を持たせることが出来る。また大震災の避難所で子供達に釣り竿の先に付けて振って遊んでもらった幟凧に紙飛行機を加えることが出来る。また普段体育館やホールで凧と交互に振らせて児童の教材にすることができる。なお前記模型飛行機を発泡材の板等を用いた大型のものにして野外で揚げることが出来る。発泡材の板は平面であり、普通の紙飛行機の縦面に当る部分を翼面の上面側に設けて、下面は平板状を成し、この平板状の部分が僅かな勾配を以って風を平面全体で受けることが出来て、平板状の面に障害物が無い構造からどの方向の風の変化にも影響されにくく、模型飛行機を安定して揚げることができる。この際例えば先端から後端までの長さが立てて腰丈くらいの大型の模型飛行機が風上に向かって僅かな迎角を持って浮遊し重量よりも揚力がやや勝る状態で、模型飛行機に付けた紐と滑動自在な輪を交点とした凧糸などの紐とが側面から見てＹ字形を成し、その交点は模型飛行機が前後方向に動くので操作する人と模型飛行機との釣り合いがとれた位置に絶えず自動的に移動して模型飛行機を空中に殆ど水平に浮遊させ、一般の凧のように風圧と揚げる人とが綱引きをするような状態は起こさずに風を受け流して風が強い程操作する人の真上に近い上空に浮遊させられるという作用がある。したがって上記の大型の模型飛行機は一般の凧よりも軽く揚がる幟凧特許第３６６８８９０号の先端骨格の前方領域と後方領域が風の強さに応じて角度が付いて風を受け流す構造のものよりも軽く、前記全長が立てて腰丈くらいの模型飛行機が長さ４メートル超の前記の幟凧よりも更に軽く揚がり、凧平塚で検索するとトップに出る丸尾のホーム頁の写真にあるように大きな幟凧を車椅子の上から投げ釣りの仕掛けで軽く揚げられる上に、更にもう一つ大きな模型飛行機を付け替えて幟凧と交互に揚げて楽しむことが出来ると言う作用がある。上記のように本発明の結果、屋外においても誰にでも自動で移動する糸目を有する模型飛行機をゆったりと遊泳させることが出来てふわりと浮遊する今まで無かった不思議な感覚を味わうことが出来、しかも糸目の位置は風の強さに応じていちいち調節する面倒が無く、強風の時程移動糸目の輪の位置が凧の先端近くから凧の後方に移動して大きな紙飛行機の様な機映の模型飛行機が殆ど頭上に浮遊し、手応えの��ない不思議な凧揚げの感触を味わうことが出来ると言う作用があり、また高く揚げた際には広い範囲から大きな紙飛行機が空に浮遊しているように見える光景を演出でき、先端に付けた棒材の上端のビニールテープがきらきらと太陽光を反射して、本物の飛行機が夕刻灯りを点滅して視認性を揚げているように遠くから目立ちやすいという作用がある。また先端に付けた棒材が重量のバランスをとる役割をすると同時に棒材と棒材の先端部のビニールテープが風の抵抗によって遇力を生じ模型飛行機の先端を持ち上げて、風の脈動によって模型飛行機が下方に突っ込む状態を起こさずに済み、また収納の際には片手に釣りの仕掛けを持ち、残る片手で模型飛行機のハンドルを捕まえることが出来て例えば車椅子の上から一人でも大きな模型飛行機を強風の中で暴れ馬の手綱をとるように安全に、発泡材の飛行機を壊わすことなく扱うことができる。また平板の下面全体に魚が上空を泳いでいるような画面を設けたり、ペンギンなどあらゆる生物の絵やキャラクターなどの画面を設けて、これらのものが空を飛んでいるような今迄無かった玩具を提供できるという作用がある。
【図面の簡単な説明】
【０００８】
【図１】本発明による折り紙の模型飛行機を斜め上方から見た立面図
【図２】本発明による折り紙の模型飛行機を斜め下方から見た立面図
【図３】本発明の用途に向いた折り紙による模型飛行機の制作要領図
【図４】本発明による折り紙の模型飛行機を棒状の凧揚げハンドルに繋いで連続して振っているところを示す略図。
【図５】本発明による折り紙の模型飛行機を風船状のポールに繋いで車椅子に座って振っているところを示す略図。
【図６】本発明による模型飛行機の発泡板材製のものを斜め上方から見た立面図。
【図７】本発明による模型飛行機の発泡板材製のものを斜め下方から見た立面図。
【図８】本発明による模型飛行機の強風の時と弱風の時の揚がり方の違いを示している略図。
【図９】本発明による全長が立てて腰丈くらいの発泡板材製の模型飛行機を投げ釣りの仕掛けで車椅子に座って揚げているところを示す略図。
【図１０】本発明による全長６０センチメートルくらいの発泡板材製の模型飛行機の各部寸法の一例を示す図面。
【図１１】本発明による全長６０センチメートルくらいの発泡板材製の模型飛行機行機を収納し持ち運びやすく組み立て式にした組み立て状態の略図。
【図１２】本発明による模型飛行機の下面に魚が空中を泳ぐ画面を設けた略図。
【図１３】先行特許文献、特願２００５−２４２３８８で申請し、審査請求してあるものの図面。
【発明を実施するための形態】
【０００９】
以下、本発明を実施するための、最良の形態を図に基づいて説明する。
図１は本発明の自動移動糸目を有する模型飛行機の紙飛行機を斜め上方から見た立面図である。紙飛行機１は翼３とこの翼３の中央部から前後に渡って下側に突出する胴体部５とから構成され、一方の翼３の先端部を折り返した部分２の左右側と胴体部５の中間の折り返した部分４との間に一方側調整紐７がたるみを持たせて取りつけられていて、他方の翼３の先端部と胴体部５の中間に他方側調整紐８がたるみを持たせて取り付けられている。一方側調整紐７及び他方側調整紐８には滑動自在な輪９がスライド可能に嵌められていて、この滑動自在な輪には凧糸１０が締結されている。また滑動自在な輪の部分を紙飛行機の場合について文具のゼムクリップを使用した形で拡大して図示している。なお目を保護するためにゼムクリップに目立つ色のリボン１３を付けて安全を図っている。
【００１０】
図２は本発明の自動移動糸目を有する模型飛行機の紙飛行機を斜め下方から見た立面図である。
【００１１】
図３は本発明による自動移動糸目を有する模型飛行機の紙飛行機についてこの用途に向いたＡ３コピー用紙を用いた作り方の一例を示す略図である。
【００１２】
図４は本発明による模型飛行機の紙飛行機を紐１０を介して幟形の凧を振る指圧用の棒１１に凧と付け替えて繋ぎ、連続して振っているところを示す略図である。
【００１３】
図５は本発明による模型飛行機の紙飛行機を紐１０を介してフーセン状のポール１２に繋ぎ、連続して飛ばしているところを示す略図である。
【００１４】
図６は本発明による模型飛行機の発泡板材で作ったものを揚げている状態の斜め上方から見た立面図であり重心の位置を調整する棒材１６を縦部材１５  の先端に粘着テープで取り付けて立ちあがらせ、上端にビニールテープの束１７を付けた所を示している。またこれによって強風の中でも片手で模型飛行機を取り扱える位置関係を示している。
【００１５】
図７は本発明による模型飛行機の発泡板材で作ったものを揚げている状態の斜め下方から見た立面図であり、平板状の下面に風を遮るものが無い構造を示している。
【００１６】
図８は本発明による発泡板材等で造った模型飛行機について弱風の際には風下に移動して平板状の下面の迎角Ａが大きくなり分力が大きくなって模型飛行機の重量を支え、強風の際には風上に移動して上記迎角Ｂが小さくなり分力の割合は小さくなるが模型飛行機の重量と釣り合っている状態を示す図であり、この一連の動きがすべて滑動自在な輪を通した紐の移動によって自動的に行われる様子を示している。なお滑動自在な輪の部分を拡大して図示している。
【００１７】
図９は本発明による模型飛行機の発泡板材で作ったものを車椅子の人が釣りの竿と釣りの仕掛けで揚げている状態を示す略図である。
【００１８】
図１０は本発明による模型飛行機の発泡板材で作ったものについて強風の中でも頭上近くに安定して揚がる為の構造と各部寸法の一例を示す略図である。
【００１９】
図１１は本発明による模型飛行機の図１０を組み立て式にして持ち運び易い構造にした一例を示す略図である。
【００２０】
図１２は本発明による模型飛行機の底面に魚の絵を施した例を示す略図である。
【００２１】
図１３は先行技術文献であり強弱混ざって吹く風の一瞬をとらえた説明図であり実際の屋外では成立しないことを示した図である。
【符号の説明】
【００２２】
１、  折り紙の紙飛行機  
２、  先端の折り曲げ部
３、  翼  
４、  胴体の折り曲げ部  
５、  胴体部  
６、  リボン  
７、  一方側調整紐  
８、  他方側調整紐
９、  滑動自在な輪
１０、凧揚げ紐
１１、指圧棒
１２、風船ポール
１３、発泡板材の模型飛行機
１４、平板状の翼部
１５、縦部材
１６、丸棒
１７、ビニールテープ
１８、固定粘着テープ
【図１】
2018175460.tif 000003
【図２】
2018175460.tif 000004
【図３】
2018175460.tif 000005
【図４】
2018175460.tif 000006
【図５】
2018175460.tif 000007
【図６】
2018175460.tif 000008
【図７】
2018175460.tif 000009
【図８】
2018175460.tif 000010
【図９】
2018175460.tif 000011
【図１０】
2018175460.tif 000012
【図１１】
2018175460.tif 000013
【図１２】
2018175460.tif 000014
【図１３】
2018175460.tif 000015